(57)【要約】【課題】本発明は、食物処理器の循環換気装置を提供する。【解決手段】ベース外に設けられるボディ６０とベースの外壁との隙間に吸気通路が形成され、ベース内に設けられ攪拌又は粉砕モジュールを駆動するモーター１０と、ファン３０の作用によって、気流がベース上の吸気口２２から吸気通路に入り、ベース内の前記モーター１０を流れた後に、ベース上の吹出口２３から排出され、ベース内側に設けられた駆動モータ付きのファン３０と、を含む食物処理器７０の循環換気装置。食物処理器７０の攪拌又は粉砕モジュールの運転を駆動するモーター１０と吹出用のファン３０をそれぞれ独立して設けることで、モーター１０の負荷が低下され、食物処理器７０の振動が低減されたとともにノイズが低下された。ファン３０がその自身の運転を駆動し、換気の要求に応じてその回転速度を独立して調整し、資源の浪費を回避することができる。モーター１０の運転に故障がある場合に、温度を効率よく降下し、良好な放熱効率を保持し、食物処理器７０の使用寿命を延長することができる。【選択図】図１
2019501750.tif 000002
【特許請求の範囲】
【請求項１】
ベースの外に設けられるボディと前記ベースの外壁との隙間に吸気通路が形成され、前記ベース内側に設けられ攪拌又は粉砕モジュールを駆動するモーターと、
前記ベース内側に設けられた駆動モータ付きのファンであって、前記ファンの作用によって、気流が前記ベースにおける吸気口から前記吸気通路に入り、前記ベース内の前記モーターを流れた後に、前記ベースにおける吹出口から排出される、駆動モータ付きのファンと、
を含む、食物処理器の循環換気装置。
【請求項２】
前記ベースの中部には上下に開放されるモーターカバーが設けられ、前記モーターはモーターブラケットを介して前記モーターカバー内に固定されている
ことを特徴とする請求項１に記載の食物処理器の循環換気装置。
【請求項３】
前記モーターブラケットにはリブが設けられ、前記モーターカバーの内壁にはスライド溝が設けられ、前記モーターブラケットは、前記リブが前記スライド溝に沿ってスライドすることによって、前記モーターカバー内に固定されている
ことを特徴とする請求項２に記載の食物処理器の循環換気装置。
【請求項４】
前記ベースには、前記モーターカバーの外周を取り囲むようにシュラウドが設けられ、前記吹出口は、前記シュラウドの一方の側面に設けられ、前記シュラウドの他の側面の少なくとも１つには、前記吸気口が設けられている
ことを特徴とする請求項２又は３に記載の食物処理器の循環換気装置。
【請求項５】
前記モーターの下方には集風ファンネルが設けられ、前記集風ファンネルは、上方に開放する環状溝であり、その内側面は上から下に向かって内径が次第に大きくなる錐状をなし、前記モーターカバーの下方には吹出ファンネルが固定して設けられ、前記ファンは、前記集風ファンネルと前記吹出ファンネルとの間に設けられている
ことを特徴とする請求項４に記載の食物処理器の循環換気装置。
【請求項６】
前記吹出ファンネルの一方側には、上へ延びるように吹出グリル孔領域が設けられ、前記ファンは遠心式であり、且つ前記ファンの排気口と前記吹出口のいずれも前記吹出グリル孔領域に対応して設けられている
ことを特徴とする請求項４に記載の食物処理器の循環換気装置。
【請求項７】
前記吸気口と前記吹出グリル孔領域のいずれにも、緊密に配列された溝孔が設けられている
ことを特徴とする請求項６に記載の食物処理器の循環換気装置。
【請求項８】
前記モーターの両側には弾性バンプが設けられ、前記モーターカバーの対応部位にはバンプシュートが設けられ、前記モーターブラケットの上側には係合ブロックが設けられ、前記係合ブロックは前記バンプシュートの端口に係合して固定されている
ことを特徴とする請求項２に記載の食物処理器の循環換気装置。
【請求項９】
前記吹出口は、前記ベースの底面に設けられ、前記ファンは、軸流式である
ことを特徴とする請求項１に記載の食物処理器の循環換気装置。
【発明の詳細な説明】
【技術分野】
【０００１】
本発明は家庭用電器製品のモーター及びその放熱装置に関し、具体的に、食物処理器の循環換気装置に関する。
【背景技術】
【０００２】
攪拌、粉砕等の多機能を有する食物処理器は、簡単で迅速な操作によって多くの人に喜ばれている。人々の生活品質の向上に伴って、消費者は、このような製品の作動信頼性とノイズ等の性能に対する要求もますます高くなっている。
【０００３】
従来の食物処理器では、食物の粉砕効果を高めるために、通常、高効率又は回転速度の高いモーターが採用されている。これにより、食物処理器の作動時に、その作動温度も高く、作動効率に影響を与え、使用寿命が低下されることになる。下記の特許文献１には、「食品混合用の攪拌機」が開示され、モーターブラケット１４は、モーター１６の外を囲み、モーターブラケット１４にはファン２６が設けられ、攪拌機１０とファン２６がそれぞれモーター１６によって駆動されている。ファン２６が運転すると、モーター１６周囲の空気が外部の冷風に置換されることで、モーター１６の正常の作動温度を保持しているが、以下の問題がある。
１．モーター１６の負荷が増大され、運転の高効率性が低下される。
２．モーター１６の回転速度が高いので、ファン１６を駆動すると、食物処理器の振動周波数がより高くなり、より大きなノイズが発生された。
３．ファン２６とモーター１６が同じ回転速度を保持し、個別に回転速度を調整することができない。ファン２６自身の回転速度が換気の効果に達すればよいので、回転速度が高すぎると、資源の浪費が起こされる。攪拌機内の食材が硬いと、攪拌機１０を回転することができなくなるため，モーターは正常に運転できなくなり、ファンも運転できなくなってしまう。この場合、食物処理器は非常に壊れやすくなる。
【０００４】
これにより、現在の食物処理器では、振動とノイズが大きく、ファンが個別に回転速度を調整できないという問題がある。
【先行技術文献】
【特許文献】
【０００５】
【特許文献１】中国特許出願公開第１０１１７２０２３号明細書
【発明の概要】
【発明が解決しようとする課題】
【０００６】
本発明が解決しようとする技術課題は、現在の食物処理器において、振動とノイズが大きく、ファンが個別に回転速度を調整できないという問題である。
【課題を解決するための手段】
【０００７】
上記技術課題を解決するために、本発明に採用された技術案は、
ベースの外に設けられるボディと前記ベースの外壁との隙間に吸気通路が形成され、前記ベース内側に設けられ攪拌又は粉砕モジュールを駆動するモーターと、
前記ベース内側に設けられた駆動モータ付きのファンであって、前記ファンの作用によって、気流が前記ベース上の吸気口から前記吸気通路に入り、前記ベース内の前記モーターを流れた後に、前記ベース上の吹出口から排出される駆動モータ付きのファンと、
を含む、食物処理器の循環換気装置を提供している。
【０００８】
本発明では、食物処理器の攪拌又は粉砕モジュールの運転を駆動するモーターと、吹出用ファンとがそれぞれ個別に設置されることで、モーターの負荷が低下され、食物処理器の振動が低減されたとともに、ノイズが低減された。ファンがその自身の運転を駆動し、換気の要求に応じて、回転速度を換気効果を確保する合理範囲に確保するように、個別にその回転速度を調整できるので、資源の浪費が回避され、モーター運転状態の影響を受けることはない。モーター運転に故障がある場合でも、温度を降下させ、良好な放熱効率を保持し、食物処理器の使用寿命を延長することができる。
【０００９】
上記食物処理器の循環換気装置において、前記ベースの中部には上下に開放するモーターカバーが設けられ、前記モーターはモーターブラケットを介して前記モーターカバーの内に固定されている。このような構造を設置することで、モーターの振動によるベース又はボディの振動を低減することができる。
【００１０】
上記食物処理器の循環換気装置において、前記モーターブラケットにはリブが設けられ、前記モーターカバーの内壁にはスライド溝が設けられ、前記モーターブラケットは、前記リブが前記スライド溝に沿ってスライドすることによって、前記モーターカバーの内に固定されている。モーターブラケットとモーターカバーの構造を設置することは、両者の迅速な脱着に有利である。
【００１１】
上記食物処理器の循環換気装置において、前記ベースには、前記モーターカバーの外周を取り囲むようにシュラウドが設けられ、前記吹出口は、前記シュラウドの一方の側面に設けられ、前記シュラウドの他の側面の少なくとも１つには前記吸気口が設けられている。吸気口と吹出口がシュラウドの異なる側面に設けられることで、構造の設計が簡単かつ便利になり、余計なスペースを占めることはない。
【００１２】
上記食物処理器の循環換気装置において、前記モーターの下方には集風ファンネルが設けられ、前記モーターカバーの下方には吹出ファンネルが固定して設けられ、前記集風ファンネルは上に開放する環状溝であり、その内側面は、内径が上から下に向かって次第に大きくなる錐状をなし、前記ファンは、前記集風ファンネルと前記吹出ファンネルとの間に設けられている。モーターカバー内の縁側の気流が集風ファンネルに受け止めて上方へ還流され、モーターカバー内の空気流動が強められている。集風ファンネルは、気流の流れ方向を合理的にガイドし、気流をファンの入口に入らせ、換気効率を高めることができる。
【００１３】
上記食物処理器の循環換気装置において、前記吹出ファンネルの一方側には、上方に延びるように吹出グリル孔領域が設けられ、前記ファンは、遠心式であり、且つ前記ファンの排気口と前記吹出口のいずれも前記吹出グリル孔領域に対応して設けられている。吹出ファンネルの吹出グリル孔領域は、ファンの排気口、ベースの吹出口に対応して設けられることで、気流ノイズを効率よく低下することができる。
【００１４】
上記食物処理器の循環換気装置において、前記吸気口と前記吹出グリル孔領域のそれぞれには緊密に配列された溝孔が設けられている。溝孔の構造を設置することで、気流の均一的な進入および排出を確保し、ノイズを低減することができ、さらに、ベースの構造の剛度および安定性を確保し、ある程度で振動を低減することができる。
【００１５】
上記食物処理器の循環換気装置において、前記モーターの両側には弾性バンプが設けられ、前記モーターカバーの対応する部位にはバンプシュートが設けられ、前記モーターブラケットの上側には係合ブロックが設けられ、前記係合ブロックは前記バンプシュートの端口に係合して固定されている。弾性バンプを設置することで、モーターの振動がなくなり、モーターブラケットに対する影響が減少され、モーターブラケッ内にその上下動を防止することができる。係合ブロックとバンプシュートとの係合固定方式によって、モーターブラケットとモーターカバーの装着安定性を確保することができる。
【００１６】
上記食物処理器の循環換気装置において、前記吹出口は、前記ベースの底面に設けられ、前記ファンは、軸流式である。ファンのタイプの選択範囲が広くなり、実用性が強くなる。
【図面の簡単な説明】
【００１７】
【図１】本発明の分解概略図である。
【図２】本発明の断面図である。
【図３】本発明の底面概略図である。
【発明を実施するための形態】
【００１８】
本発明は、振動とノイズを効果的に低減しながら良好な放熱機能を有する食物処理器の循環換気装置を提供している。以下、具体的な実施例及び図面に基づいて、本発明について詳細に説明する。
【００１９】
図１と図２に示されるように、本発明から提供される食物処理器の循環換気装置は、モーター１０とファン３０を含む。モーター１０は、食物処理器７０の攪拌又は粉砕モジュールの運転を駆動するものであって、ベース内に設けられている。ベースの外にはボディ６０が設けられている。ボディ６０とベースの外壁との隙間が吸気通路を形成している。駆動モータ付きのファン３０がベース内に設けられている。ファン３０の作用によって、気流は、ベース上の吸気口２２から吸気通路に入り、ベース内のモーター１０を流れてから、ベースにおける吹出口２３から排出される。
【００２０】
ベースの中部には上下に開放するモーターカバー２０が設けられている。モーター１０は、モーターブラケット１１を介してモーターカバー２０内に固定されている。このように構成すると、モーター１０の振動によるベース又はボディ６０の振動を低減することができる。モーターブラケット１１にはリブが設けられ、モーターカバー２０の内壁にはスライド溝が設けられている。モーターブラケット１１は、リブがスライド溝に沿ってスライドすることによって、モーターカバー２０内に固定されている。モーターブラケット１１とモーターカバー２０の構造は、迅速的な着脱に有利である。
【００２１】
ベースには、モーターカバー２０の外周を取り囲むようにシュラウド２１が設けられている。吹出口２３がシュラウド２１の一方の側面に設けられている。シュラウド２１の他の側面の少なくとも１つには吸気口２２が設けられている。吸気口と吹出口がシュラウドの異なる側面に設けられることで、構造設計が簡単かつ便利になり、余計なスペースを占めることはない。
【００２２】
モーター１０の下には集風ファンネル４０が設けられ、モーターカバー２０の下方には吹出ファンネル５０が固定して設けられている。集風ファンネル４０は、上方に開放された環状溝であり、その内側面は、内径が上から下に向かって次第に大きくなる錐状をなしている。ファン３０は、集風ファンネル４０と吹出ファンネル５０との間に設けられている。モーターカバー２０内の縁側の気流が集風ファンネル４０に受け止められて上方へ還流されるので、モーターカバー２０内の空気流動が強められている。集風ファンネル４０は、気流の流れ方向を合理的にガイドし、気流をファン３０の入口に入らせ、換気効率を高めることができる。
【００２３】
吹出ファンネル５０の一方側には上方へ延びるように吹出グリル孔領域５１が設けられている。ファン３０は、遠心式であり、且つファン３０の排気口とベースの吹出口２３のいずれも、吹出グリル孔領域５１に対応して設けられ、気流ノイズを効率よく低下することができる。集風ファンネル４０とファン３０との間にシールリング４１が設けられ、換気効率が高まっている。
【００２４】
吸気口２２と吹出グリル孔領域５１のいずれにも、緊密に配列された溝孔が設けられている。溝孔の構造を設置することで、気流の均一的な進入および排出を確保し、ノイズを低減することができ、ベースの構造の剛度および安定性を確保し、ある程度で振動を低減することができる。
【００２５】
モーター１０の両側には弾性バンプ１２が設けられ、モーターカバー２０に対応する部位にはバンプシュート２４が設けられ、モーターブラケット１１の上側には係合ブロック１３が設けられている。係合ブロック１３は、バンプシュート２４の端口に係合して固定されている。弾性バンプ１２を設置することで、モーター１０の振動がなくなり、モーターブラケット１１に対する影響が減少され、モーターブラケット１１の内にその上下動を防止することができる。係合ブロック１３とバンプシュート２４との係合固定方式によって、モーターブラケット１１とモーターカバー２０の装着安定性を確保することができる。
【００２６】
吹出口２３がベースの底面に設けられてもよい。この場合、ファン３０は、軸流式を採用し、ファンのタイプの選択範囲が広くなり、実用性が強くなる。
【００２７】
本発明では、食物処理器の攪拌又は粉砕モジュールの運転を駆動するモーターと、吹出用ファンとが個別に設置されたので、モーターの負荷が低下され、食物処理器の振動が低減されたとともに、ノイズが低減された。ファンはその自身の運転を駆動し、換気の要求に応じて、回転速度を換気効果が確保される合理範囲に保持するように、個別にその回転速度を調整することができ、資源の浪費が回避され、モーター運転状態の影響を受けることもない。モーター運転に故障がある場合でも、その温度を効率に低下させ、良好な放熱効率を保持し、食物処理器の使用寿命を延長することができる。
【００２８】
本発明は、上記最適な実施様態に限らない。如何なる人でも、本発明の示唆によってなされた構造の変化が分かるはずである。本発明と同じ又は類似する全ての技術案が本発明の保護範囲に入っている。
【図１】
2019501750.tif 000003
【図２】
2019501750.tif 000004
【図３】
2019501750.tif 000005
【国際調査報告】
2019501750.tif 000006
2019501750.tif 000007
2019501750.tif 000008
2019501750.tif 000009
2019501750.tif 000010
2019501750.tif 000011